(57)【要約】【課題】表示部が横方向に配置、縦方向に配置された時に特定表示が見やすく入力部が入力しやすく、紛失しにくい表示装置を提供する。【解決手段】映像信号に従い表示される表示部１１と、入力部１２と、スイッチ１２ａと制御部３とを備え、前記入力部１１に入力がなされると、前記制御部３は、前記表示部１１の一部に特定表示をさせ、前記表示部１１が横方向に配置され、前記スイッチ１２ａが一側に設定された横配置の場合と、前記表示部１１が縦方向に配置され、前記スイッチ１２ａが他側に設定された縦配置の場合において、前記特定表示は同一方向に表示される。更に、少なくとも前記表示部１１を覆うケーシングを設け、前記スイッチ１２ａを、前記ケーシングの背面に露出して配置させた。【選択図】      図１
2004245942.tif 000002
【特許請求の範囲】
【請求項１】
映像信号に従い表示される表示部と、入力部と、スイッチと制御部とを備え、前記入力部に入力がなされると、前記制御部は、前記表示部の一部に特定表示をさせ、前記表示部が横方向に配置され、前記スイッチが一側に設定された横配置の場合と、前記表示部が縦方向に配置され、前記スイッチが他側に設定された縦配置の場合において、前記特定表示は同一方向に表示される事を特徴とする表示装置。
【請求項２】
少なくとも前記表示部を覆うケーシングを設け、前記スイッチを、前記ケーシングの背面に露出して配置させた事を特徴とする請求項１の表示装置。
【請求項３】
映像信号に従い表示される表示部と、入力部と、制御部とを備え、前記入力部に第１入力がなされると、前記制御部は、前記表示部の一部に特定表示をさせ、前記表示部が横方向に配置され、前記入力部に第２入力がなされた横配置の場合と、前記表示部が縦方向に配置され、前記入力部に第３入力がなされた縦配置の場合において、前記特定表示は同一方向に表示される事を特徴とする表示装置。
【請求項４】
前記表示装置に設けられた記憶部は、横方向に並ぶ第１フォントデータと、該第１フォントデータを９０度回転させた第２フォントデータを記憶し、前記横配置の場合、前記制御部は前記第１フォントデータを選択し、前記特定表示を横表示させ、前記縦配置の場合、前記制御部は前記第２フォントデータを選択し、前記特定表示を横表示させる事を特徴とする請求項１又は請求項３の表示装置。
【請求項５】
前記入力部は、ケーブルを介して、前記制御部に接続され、遠隔操作により、入力可能に設けられた事を特徴とする請求項１又は請求項３の表示装置。
【発明の詳細な説明】
【０００１】
【発明の属する技術分野】
本発明は表示装置に関する。
【０００２】
【従来の技術】
従来、この種の表示装置は例えば、特許文献１に示されている。この特許文献１において、映像信号に従い表示される表示部と、入力部と、制御部が設けられている。そして、入力部に入力されると、制御部は表示部の一部に特定表示させる（図２のＡＵＴＯ…を参照）。
【０００３】
【特許文献１】
特開平１１−３０５７３７号公報
【０００４】
【発明が解決しようとする課題】
上記表示装置の表示部を縦方向に配置した場合（図３参照）、特定表示が縦に並び、使用者が見づらい第１の欠点がある。更に、表示部に隣接した下の部分に入力部が位置しており、表示部が大型の場合、使用者は特定表示を見ながら、入力しにくい、第２の欠点がある。この欠点を解消するために、無線式の入力部（リモコン）を設ける事が考えられるが、上記入力部は表示装置と独立して離れているため、使用者が入力部を置き忘れて、紛失し易い第３の欠点がある。
【０００５】
故に、本発明はこの様な従来の欠点を考慮し、表示部が横方向に配置、縦方向に配置された時に特定表示が見やすく、入力部が入力しやすく、紛失しにくい表示装置を提供する。
【０００６】
【課題を解決するための手段】
本発明は上記課題を解決するために、請求項１の本発明では、映像信号に従い表示される表示部と、入力部と、スイッチと制御部とを備え、前記入力部に入力がなされると、前記制御部は、前記表示部の一部に特定表示をさせ、前記表示部が横方向に配置され、前記スイッチが一側に設定された横配置の場合と、前記表示部が縦方向に配置され、前記スイッチが他側に設定された縦配置の場合において、前記特定表示は同一方向に表示される。
【０００７】
請求項２の本発明では、前記表示部を覆うケーシングを設け、前記スイッチを前記ケーシングの背面に露出して配置させた。
【０００８】
請求項３の本発明では、映像信号に従い、表示される表示部と、入力部と、制御部とを備え、前記入力部に第１入力がなされると、前記制御部は、前記表示部の一部に特定表示をさせ、前記表示部が横方向に配置され、前記入力部に第２入力がなされた横配置の場合と、前記表示部が縦方向に配置され、前記入力部に第３入力がなされた縦配置の場合において、前記特定表示は同一方向に表示されるものである。
【０００９】
請求項４の本発明では、前記表示装置に設けられた記憶部は、横方向に並ぶ第１フォントデータと、該第１フォントデータを９０度回転させた第２フォントデータを記憶し、前記横配置の場合、前記制御部は前記第１フォントデータを選択し、前記特定表示を横表示させ、前記縦配置の場合、前記制御部は前記第２フォントデータを選択し、前記特定表示を横表示させる。
【００１０】
請求項５の本発明では、前記入力部は、ケーブルを介して、前記制御部に接続され、遠隔操作により、入力可能に設けられた。
【００１１】
【発明の実施の形態】
以下に、図１と図２に従い、本発明の実施の形態１に係る表示装置２０を説明する。図１は、この表示装置２０のブロック図である。図２は、横配置された場合の表示装置２０の斜視図である。
【００１２】
これらの図において、ＣＰＵ１は全体の制御を行う。ゲートアレイ２は、カウンタ機能とＬＣＤコントロール機能を内蔵し、ＣＰＵ１に接続されている。ＣＰＵ１とゲートアレイ２とデータ変換部１７（後述）とにより、制御部３が構成されている。
【００１３】
入力手段４は、接続されたパソコンなどから、映像信号が入力される。映像信号は、画像信号Ｒ，Ｇ，Ｂと、水平同期信号ＨＳと、垂直同期信号ＶＳ等から成る。
【００１４】
ビデオアンプ５は入力された画像信号Ｒ、Ｇ、Ｂを必要なレベルに調整する。ＡＤ変換部６は、調整された画像信号Ｒ、Ｇ、Ｂをサンプリングし、ディジタル値に変換する。
【００１５】
グラフィックＬＳＩ７は各種画像サイズ（例えば、６４０×３５０ドット〜１１５２×８７０ドット）と、各種周波数（例えば６０〜８５Ｈｚ）を持つ上記ディジタル値を、表示部１１（後述）に合せた、画像サイズと周波数に変換する。フレームメモリ８はグラフィックＬＳＩ７に接続されている。
【００１６】
シンクロプロセッサ９は、入力する水平同期信号ＨＳと垂直同期信号ＶＳの波形を整形する。シンクロプロセッサ９の出力側は、クロックジェネレータ１０と、グラフィックＬＳＩ７と、ゲートアレイ２に各々、接続されている。
【００１７】
クロックジェネレータ１０は、水平同期信号ＨＳの入力により、ドットクロック信号ＤＣＬＫを出力する。ドットクロック信号ＤＣＬＫは、ＡＤ変換部６と、グラフィックＬＳＩ７と、ゲートアレイ２に各々、供給される。
【００１８】
表示部１１は例えば、液晶表示部であり、ゲートアレイ２に接続されている。表示部１１は制御部３を介して、ディジタル値と、水平同期信号ＨＬＣＤと、垂直同期信号ＶＬＣＤと、ドットクロック信号ＤＣＬＫと、表示制御信号ＤＥが供給される。この様に、表示部１１は、映像信号に従い、表示される。
【００１９】
入力部１２はＣＰＵ１に接続されている。入力部１２は例えば、メニューキー１３と、エンターキー１４と、ダウンキー１５と、アップキー１６の４個のキーから成る（図２参照）。
【００２０】
ケーブル１６ａは，制御部３と入力部１２とを接続するものである。この様に入力部１２はケーブル１６ａを介して、制御部３に接続され、遠隔操作により、入力可能に構成されている（図２参照）。
【００２１】
データ変換部１７は、使用者による調整等をガイドするメッセージ等を表示データに変換し、表示部１１の一部にＯＳＤ（オン・スクリーン・ディスプレイ）として、特定表示させるものである。この様に、入力部１２に入力がなされると制御部３は、表示部１１の一部に特定表示させる。データ変換部１７の入力側はＣＰＵ１に接続され、出力側はゲートアレイ２に接続される。
【００２２】
ロム１８はリードオンリーメモリからなり、ＣＰＵ１に接続されている。ロム１８はＣＰＵ１の制御プログラムを記憶している。
【００２３】
記憶部２１は、例えば、第１記憶領域１８ａと、第２記憶領域１８ｂとからなる。第１記憶領域１８ａは例えば、記憶部２１の０番地〜１０００番地のアドレスを持つ。第１記憶領域１８ａは、横方向に並ぶ第１フォントデータ（図２のＡＵＴＯ…等）を記憶している。
【００２４】
第２記憶領域１８ｂは例えば、記憶部２１の２０００番地〜３０００番地のアドレスを持つ。第２記憶領域１８ｂは、第１フォントデータを９０度回転させた第２フォントデータを記憶している。
【００２５】
ケーシング２２は、例えば金属板等からなり、略箱状に形成され、この表示装置２０の外枠である。ケーシング２２は上記部品３，４，５，６，７，８，９，１０，１１，１８，２１等を覆う様に形成されている。即ち、ケーシング２２は少なくとも、表示部１１を覆う様に、設けられている。
【００２６】
スイッチ１２ａは、例えばトグルスイッチ等からなり、一側（例えば、左に傾いた状態であり、図２参照）又は他側（例えば、右側に傾いた状態であり、図４参照）に設定できる様に、構成されている。
【００２７】
スイッチ１２ａは、ケーシング２２の背面（後面）に露出する様に、配置されケーシング２２に固定されている（図２参照）。スイッチ１２ａはＣＰＵ１に接続されている。
【００２８】
スタンド１９は例えば、複数の各パイプを組み立てたものである。支持部１９ａは、スタンド１９を構成する部分であり、縦方向に延在する様に、構成されている。
【００２９】
ケーシング２２の内側の適所に、例えば２個の支持板（図示せず）が固定され支持板には、複数個のネジ切りされた孔（図示せず）が設けられている。支持板１９ａには、複数個の孔が形成されている。
【００３０】
複数個のボルト（図示せず）は、支持板１９ａの孔を貫通し、ケーシング２２の孔を貫通し、支持板の孔にネジ止めされている。
【００３１】
使用者又は施工者は、ケーシング２２を横方向に配置し、上記ボルトを、支持板の孔（横用）にネジ止めする。この時、表示部１１は横方向（即ち、表示部１１の長辺が略水平状態になること）に位置する。
【００３２】
また、使用者又は施工者は、ケーシング２２を縦方向に配置し、上記ボルトを支持板の孔（縦用）にネジ止めする。この時、表示部１１は縦方向に（即ち、表示部１１の長辺が水平方向に対し、略直角方向にあること）に位置する（図３参照）。以上の部品により、この表示装置２０は構成されている。
【００３３】
次に、図１ないし図５に従い、この表示装置２０の動作を説明する。図３は、スイッチ１２ａが一側に設置され、表示部１１が縦方向に配置された時の、表示装置２０の斜視図である。図４は、スイッチ１２ａが他側に設置され、表示部１１が縦方向に配置された時の、表示装置２０の斜視図である。図５は、表示装置２０に用いられる特定表示２３の一表示例である。
【００３４】
これらの図において、最初に表示装置２０は横配置されている（図２参照）ものとする。これは、例えば、工場出荷時に横配置されている場合である。また例えば、工場出荷時に縦配置されていた場合、使用者又は施工者は、支持板１９ａと，支持板とを固定していたボルトを外す。そして、ケーシング２２を縦方向から横方向に配置変換し、上記ボルトを支持板の孔（横用）にネジ止めする。
【００３５】
この様にして、表示装置２０は横配置される事ができる。即ち、横位置とは表示部１１が横方向に配置され、スイッチ１２ａが一側に設定された状態である。
【００３６】
次に、使用者が表示装置２０の電源スイッチ（図示せず）を押すと、動作が開始する。制御部３は、入力手段４を介して映像信号を取り込ませる。
【００３７】
そして制御部３は、取り込まれた映像信号を解析し、その映像信号の中から表示パラメータ（水平同期信号ＨＳの周波数と、垂直同期信号ＶＳの周波数と、解像度など）を取り出し、映像信号のモードを決定する。
【００３８】
次に制御部３は、上記パラメータがロム１８に記憶されているか否かをサーチする。もしも、この表示パラメータが記憶されていれば、制御部３は、表示部１１に表示画像を設定する。
【００３９】
即ち、映像信号中の画像信号Ｒ，Ｇ，Ｂは入力手段４を通り、ビデオアンプ５により、必要なレベルに調整され、ＡＤ変換部６によりサンプリングされ、ディジタル値に変換される。このディジタル値は、グラフィックＬＳＩ７により、適切な画像サイズと周波数に変換され、制御部３を介して、表示部１１へ入力される。
【００４０】
水平同期信号ＨＳと垂直同期信号ＶＳは、シンクロプロセッッサ９により波形整形され、制御部３を介して、グラフィックＬＳＩ７に入力される。そして、表示部１１に適した水平同期信号ＨＬＣＤと、垂直同期信号ＶＬＣＤとに変換される。
【００４１】
この様にして、上記ディジタル値と、水平同期信号ＨＬＣＤと、垂直同期信号ＶＬＣＤと、表示制御信号ＤＥは、表示部１１へ入力される。表示部１１は、パソコンから出力される映像信号（横配置用）により表示される。
【００４２】
そして、例えば、ケーシング２２の開口部２４に対し、画像領域２５が左寄りに設定されているとする（図２参照）。即ち、左側の余白Ａが右側の余白Ｂよりも小さい、とする。
【００４３】
この時、使用者は、入力部１２のメニューキー１３を押すと、メニューを示す特定表示２３が、表示部１１の一部に表示される（図５参照）。そして使用者はダウンキー１５を押し、画面上のポインタ（図示せず）を「ＨＯＲ．ＰＯＳＩＴＩＯＮ」の位置に合わせ、エンターキー１４を押す。
【００４４】
その結果として、制御部３は、表示部１１上に、複数の設定値（例えば、１，２，３，４，５など）を表示させる。
【００４５】
次に、使用者は、ダウンキー１５を押し、画面上のポインタを「４」の位置に合わせ、エンターキー１４を押す。その結果、画像領域２５の左端の位置（ＨＯＲ．ＰＯＳＩＴＩＯＮ）が右側に移動し、左側の余白Ａと右側の余白Ｂが同一になったとする。
【００４６】
この様に、入力部１２に入力する事により、画像領域２５の水平位置や、垂直位置や、画面の大きさを変える事ができる。また、特定表示２３は、入力部１２への入力に対応した画面（例えば，図５のメニュー表示画面や、設定値を表示する画面（図示せず）など）である。この様に、入力部１２に入力する事により、最適な画像を表示させる事ができる。
【００４７】
また、図５に示した特定表示２３において、ＡＵＴＯ  ＡＤＪＵＳＴとは、画像領域２５の位置等を自動的に調整する場合に選択される。ＨＯＲ．ＳＩＺＥは画像領域２５の左右の大きさを調整する場合に選択される。
【００４８】
そして、ＦＯＣＵＳは、画像の焦点を調整する場合に選択される。ＨＯＲ．ＰＯＳＩＴＩＯＮは、画像領域２５の左右の位置を調整する場合に選択される。ＶＥＲＴ．ＰＯＳＩＴＩＯＮは、画像領域２５の上下の位置を調整する場合に選択される。
【００４９】
この様に、表示部１１が横方向に配置され、かつ、スイッチ１２ａが一側に設定された横配置の場合、制御部３は記憶部２１の第１記憶領域１８ａから、横方向に並ぶ第１フォントデータを選択する。
【００５０】
そして、入力部１２のメニューキー１３が押されると、入力部１２はＣＰＵ１に対し、メニューキー１３の入力に従う信号を出力する。
【００５１】
その結果、データ変換部１７は、ゲートアレイ２を介して、表示部１１に対し第１フォントデータから選択され、メニューを示す表示データを出力する。この様にして、制御部３は、特定表示２４（図５に示した、ＡＵＴＯ…等のこと）を横表示（横方向に一列に並ぶこと）させる。
【００５２】
次に、使用者は、表示部１１を縦方向に配置変換するものとする。具体的には使用者又は施工者は、支持部１９ａと支持板とを固定していたボルトを外す。そして、ケーシング２２を横方向から縦方向に配置変換した後、上記ボルトを支持板の孔（縦用）にネジ止めする。
【００５３】
この時、スイッチ１２ａは未だ一側に設定されているものとする。特定表示２３は、表示部１１の長辺と平行する方向に表示される。即ち、特定表示２３は縦表示（縦方向に表示）となり、使用者は見ずらいものとなる（図３参照）。
【００５４】
そのため、使用者はスイッチ１２ａを他側に設定する（図４参照）。この様にして、表示部１１が縦方向に配置され、スイッチ１２ａが他側に設定されると、表示装置２は、縦配置に設定されたことになる。
【００５５】
縦配置の場合、制御部３は記憶部２１の第２記憶領域１８ｂから、第１フォントデータを９０度回転させた第２フォントデータを選択する。そして、入力部１２のメニューキー１３が押されると、入力部１２はＣＰＵ１に対し、メニューキー１３の入力に従う信号を出力する。
【００５６】
その結果、データ変換部１７は、ゲートアレイ２を介して、表示部１１に対し第２フォントデータが選択され、メニューを示す表示データを出力する。この様にして、制御部３は、特定表示２３（図４に示した、ＡＵＴＯ…等のこと）を横表示（横方向に一列に並ぶこと）させる。
【００５７】
上記表示装置２０の特徴をまとめる。表示部１１が横方向に配置され、スイッチ１２ａが一側に設定された横配置の場合（図２参照）と、表示部１１が縦方向に配置され、スイッチ１２ａが他側に設定された縦方向の場合（図４参照）において、特定表示２３は同一方向に表示される（例えば、横表示される）。
【００５８】
次に、図６のブロック図に従い、本発明の実施の形態２に係る表紙装置２０ａを説明する。この表示装置２０ａにおいて、表示装置２０に設けられたスイッチ１２ａを備えていない。また、この表示装置２０ａのロム１８ｃは、表示装置２０のロム１８と異なる。すなわち、表示装置２０ａの制御部３の制御プログラムと、表示装置２０の制御部３の制御プログラムは異なる。その他の部品は、表示装置２０のものと同一である。
【００５９】
表示装置２０ａの入力部１２を構成するメニューキー１３が押されると、例えば、「ＯＳＤ回転する」と「ＯＳＤ回転しない」という、二つのメニューが追加される。その他のメニューは、図５に示したメニューと同一である。
【００６０】
即ち、図６において、ＣＰＵ１は全体の制御を行う。ゲートアレイ２は、カウンタ機能とＬＣＤコントロール機能を内蔵し、ＣＰＵ１に接続されている。ＣＰＵ１とゲートアレイ２とデータ変換部１７とにより、制御部３が構成されている。
【００６１】
入力手段４は、接続されたパソコンなどから、映像信号が入力される。映像信号は、画像信号Ｒ，Ｇ，Ｂと、水平同期信号ＨＳと、垂直同期信号ＶＳ等から成る。
【００６２】
ビデオアンプ５は入力された画像信号Ｒ、Ｇ、Ｂを必要なレベルに調整する。ＡＤ変換部６は、調整された画像信号Ｒ、Ｇ、Ｂをサンプリングし、ディジタル値に変換する。
【００６３】
グラフィックＬＳＩ７は各種画像サイズ（例えば、６４０×３５０ドット〜１１５２×８７０ドット）と、各種周波数（例えば６０〜８５Ｈｚ）を持つ上記ディジタル値を、表示部１１に合せた、画像サイズと周波数に変換する。フレームメモリ８はグラフィックＬＳＩ７に接続されている。
【００６４】
シンクロプロセッサ９は、入力する水平同期信号ＨＳと垂直同期信号ＶＳの波形を整形する。シンクロプロセッサ９の出力側は、クロックジェネレータ１０と、グラフィックＬＳＩ７と、ゲートアレイ２に各々、接続されている。
【００６５】
クロックジェネレータ１０は、水平同期信号ＨＳの入力により、ドットクロック信号ＤＣＬＫを出力する。ドットクロック信号ＤＣＬＫは、ＡＤ変換部６と、グラフィックＬＳＩ７と、ゲートアレイ２に各々、供給される。
【００６６】
表示部１１は例えば、液晶表示部であり、ゲートアレイ２に接続されている。表示部１１は制御部３を介して、ディジタル値と、水平同期信号ＨＬＣＤと、垂直同期信号ＶＬＣＤと、ドットクロック信号ＤＣＬＫと、表示制御信号ＤＥが供給される。この様に、表示部１１は、映像信号に従い、表示される。
【００６７】
入力部１２はＣＰＵ１に接続されている。入力部１２は例えば、メニューキー１３と、エンターキー１４と、ダウンキー１５と、アップキー１６の４個のキーから成る。
【００６８】
データ変換部１７は、使用者による調整等をガイドするメッセージ等を表示データに変換し、表示部１１の一部にＯＳＤ（オン・スクリーン・ディスプレイ）として、特定表示させるものである。この様に、入力部１２に入力がなされると制御部３は、表示部１１の一部に特定表示させる。データ変換部１７の入力側はＣＰＵ１に接続され、出力側はゲートアレイ２に接続される。
【００６９】
ロム１８ｃはリードオンリーメモリからなり、ＣＰＵ１に接続されている。ロム１８ｃはＣＰＵ１の制御プログラムを記憶している。
【００７０】
記憶部２１は例えば、第１記憶領域１８ａと、第２記憶領域１８ｂとからなる。第１記憶領域１８ａは例えば、記憶部２１の０番地〜１０００番地のアドレスを持つ。第１記憶領域１８ａは、横方向に並ぶ第１フォントデータ（図２のＡＵＴＯ…等）を記憶している。
【００７１】
第２記憶領域１８ｂは例えば、記憶部２１の２０００番地〜３０００番地のアドレスを持つ。第２記憶領域１８ｂは、第１フォントデータを９０度回転させた第２フォントデータを記憶している。
【００７２】
ケーシング２２は、例えば金属板等からなり、略箱状に形成され、この表示装置２０の外枠である。ケーシング２２は上記部品３，４，５，６，７，８，９，１０，１１，１８ｃ，２１等を覆う様に形成されている。即ち、ケーシング２２は少なくとも、表示部１１を覆う様に、設けられている。
【００７３】
スタンド１９は例えば、複数の各パイプを組み立てたものである。支持部１９ａは、スタンド１９を構成する部分であり、縦方向に延在する様に、構成されている。
【００７４】
ケーシング２２の内側の適所に、例えば２個の支持板（図示せず）が固定され支持板には、複数個のネジ切りされた孔（図示せず）が設けられている。支持板１９ａには、複数個の孔が形成されている。
【００７５】
複数個のボルト（図示せず）は、支持板１９ａの孔を貫通し、ケーシング２２の孔を貫通し、支持板の孔にネジ止めされている。
【００７６】
使用者又は施工者は、ケーシング２２を横方向に配置し、上記ボルトを、支持板の孔（横用）にネジ止めする。この時、表示部１１は横方向（即ち、表示部１１の長辺が略水平状態になること）に位置する。
【００７７】
また、使用者又は施工者は、ケーシング２２を縦方向に配置し、上記ボルトを支持板の孔（縦用）にネジ止めする。この時、表示部１１は縦方向に（即ち、表示部１１の長辺が水平方向に対し、略直角方向にあること）に位置する。以上の部品により、この表示装置２０ａは構成されている。
【００７８】
次に、この表示装置２０ａが横配置の場合を説明する。この時、表示部１１は横方向に配置されている。そして、使用者が表示装置２０ａの電源スイッチを押すと、動作が開始する。
【００７９】
制御部３は、入力手段４を介して映像信号を取り込ませる。そして制御部３は上記表示装置２０ａと同一の制御動作をする。その結果、表示部は、パソコンから出力される映像信号（横配置用）により，表示される。
【００８０】
次に、使用者は、初期調整のために、入力部１２のメニューキー１３を押すと、メニューを示す特定表示が、表示部１１の一部に表示される。この様に、特定表示させるために、入力部１２に何らかの入力がなされるとことを「入力部１２に第１入力がなされる」と表現する。即ち、入力部１２に第１入力がなされると制御部３は、表示部１１の一部に特定表示させる。
【００８１】
そして使用者は、ダウンキー１５を押し、画面上のポインタを「ＯＳＤ回転しない」の位置に合わせ、エンターキー１４を押す。この様に、例えば、ＯＳＤ回転しない旨のメッセージが選択される事を「入力部１２に第２入力がなされる」と表現する。
【００８２】
この様にして、表示部１１が横方向に配置され、かつ、入力部１２に第２入力がなされると、表示装置２０ａは横配置の状態となる。
【００８３】
表示装置２０ａは横配置の場合、制御部３は、記憶部２１の第１記憶領域１８ａから、横方向に並ぶ第１フォントデータを選択する。その結果、データ変換部１７は、ゲートアレイ２を介して、表示部１１に対し，第１フォントデータから選択され、かつ、メニューを示す表示データを出力する。この様にして、制御部３は特定表示（図２に示した、ＡＵＴＯ…等のこと）を横表示（横方向に一列に並ぶこと）させる。
【００８４】
次に、この表示装置２０ａが縦配置の場合を説明する。この時、表示部１１は縦方向に配置されている。使用者は、パソコン操作して、縦配置用の映像信号に切り替える。そして、使用者が表示装置２０ａの電源スイッチを押すと、動作が開始する。
【００８５】
制御部３は、入力手段４を介して映像信号を取り込ませる。そして制御部３は上記横配置の場合と同一の制御動作をする。その結果、表示部１１は、パソコンから出力される映像信号（縦配置用）により，表示される。この時、表示部１１において、映像信号による表示は、横表示（横方向に並ぶもの）である。
【００８６】
次に、使用者は、初期調整のために、入力部１２のメニューキー１３を押すと第１入力がなされ、メニューを示す特定表示が、表示部１１の一部に表示される。この様に、特定表示させるために、入力部１２に何らかの入力がなされる事を「入力部１２に第１入力がなされる」と表現する。即ち、入力部１２に第１入力がなされると制御部３は、表示部１１の一部に特定表示させる。
【００８７】
そして使用者は、ダウンキー１５を押し、画面上のポインタを「ＯＳＤ回転する」の位置に合わせ、エンターキー１４を押す。この様に、例えば、ＯＳＤ回転する旨のメッセージが選択される事を「入力部１２に第３入力がなされる」と表現する。
【００８８】
この様にして、表示部１１が縦方向に配置され、かつ、入力部１２に第３入力がなされると、表示装置２０ａは縦配置の状態となる。
【００８９】
表示装置２０ａは縦配置の場合、制御部３は、記憶部２１の第２記憶領域１８ｂから、第２フォントデータ（第１フォントデータを９０度回転したデータであり、横方向に並ぶもの）を選択する。その結果、データ変換部１７は、ゲートアレイ２を介して、表示部１１に対し，第２フォントデータから選択され、かつメニューを示す表示データを出力する。この様にして、制御部３は、特定表示（図４に示した、ＡＵＴＯ…等のこと）を横表示（横方向に一列に並ぶこと）させる。
【００９０】
上記表示装置２０ａの特徴をまとめる。表示部１１が横方向に配置され、入力部１２に第２入力がなされた横配置の場合と、表示部１１が縦方向に配置され入力部１２に第３入力がなされた縦配置の場合において、特定表示（ＡＵＴＯ…等のこと）は同一方向に表示される。
【００９１】
なお、表示装置２０ａにおいて、入力部１２は、ケーブル１６ａを介して制御部３に接続され、遠隔操作により、入力可能に設けられている。
【００９２】
【発明の効果】
請求項１の本発明では、映像信号に従い表示される表示部と、入力部と、スイッチと制御部とを備え、前記入力部に入力がなされると、前記制御部は、前記表示部の一部に特定表示をさせ、前記表示部が横方向に配置され、前記スイッチが一側に設定された横配置の場合と、前記表示部が縦方向に配置され、前記スイッチが他側に設定された縦配置の場合において、前記特定表示は同一方向に表示される。この様に、表示装置が横配置の時の特定表示と、縦配置の時の特定表示は同一方向に表示されるので、使用者は特定表示を容易に見る事ができ、従来の見ずらい欠点が解消される。
【００９３】
請求項２の本発明では、少なくとも前記表示部を覆うケーシングを設け、前記スイッチを、前記ケーシングの背面に露出して配置させた。この様に、スイッチを外付けする事により、従来の制御プログラムを大幅に変更しなくても、従来の縦配置時の見ずらい事を解消できる。また、スイッチはケーシングの背面に設けられるので、第三者が、スイッチをいたずらして操作する事が防止される。
【００９４】
請求項３の本発明では、映像信号に従い表示される表示部と、入力部と、制御部とを備え、前記入力部に第１入力がなされると、前記制御部は、前記表示部の一部に特定表示をさせ、前記表示部が横方向に配置され、前記入力部に第２入力がなされた横配置の場合と、前記表示部が縦方向に配置され、前記入力部に第３入力がなされた縦配置の場合において、前記特定表示は同一方向に表示される。この様に、入力部に第２入力又は第３入力する事により、横配置又は縦配置を設定できるので、使用者による操作性は向上する（入力し易くなる）。
【００９５】
請求項４の本発明では、前記表示装置に設けられた記憶部は、横方向に並ぶ第１フォントデータと、該第１フォントデータを９０度回転させた第２フォントデータを記憶し、前記横配置の場合、前記制御部は前記第１フォントデータを選択し、前記特定表示を横表示させ、前記縦配置の場合、前記制御部は前記第２フォントデータを選択し、前記特定表示を横表示させる。上記構成により、横配置の時、特定表示を横表示させる事と、縦配置の時、特定表示を横表示させる事の構成が簡素化できる。また、第１フォントデータおよび第２フォントデータを記憶し選択するだけなので、データ変換する大掛かりな部品を必要とせず、コストが安くて済む。
【００９６】
請求項５の本発明では、前記入力部は、ケーブルを介して、前記制御部に接続され、遠隔操作により、入力可能に設けられた。この様に、入力部は有線式の遠隔操作できるので、表示部が大型化しても、使用者は表示部から離れた位置で入力できるから、入力がし易くなる。また、入力部は有線で接続されているので、紛失する事が防止される。
【図面の簡単な説明】
【図１】本発明の実施の形態１に係る表示装置２０のブロック図である。
【図２】上記表示装置２０が横配置された場合の斜視図である。
【図３】上記表示装置２０において、表示部１１が縦方向に配置され、スイッチ１２ａが一側に設定された場合の斜視図である。
【図４】上記表示装置２０が縦配置された場合の斜視図である。
【図５】上記表示装置２０において、特定表示２３の一例を示す図面である。
【図６】本発明の実施の形態２に係る表示装置２０ａのブロック図である。
【符号の説明】
３  制御部
１１  表示部
１２  入力部
１２ａ  スイッチ
【図１】
2004245942.tif 000003
【図２】
2004245942.tif 000004
【図３】
2004245942.tif 000005
【図４】
2004245942.tif 000006
【図５】
2004245942.tif 000007
【図６】
2004245942.tif 000008